(57)【特許請求の範囲】
【請求項１】
カメラ本体に対して起立状態と倒伏状態とに起伏自在となって前記カメラ本体に取り付けられたカバー部材と、
前記カメラ本体に対して起立状態と倒伏状態とに起伏自在となって前記カメラ本体に取り付けられた撮影レンズと、
前記カバー部材に裏面に設けられているとともに、前記カバー部材が起立状態である際に起立状態である前記撮影レンズからの光学経路を前記カメラ本体に導く反射鏡と、
前記カバー部材に対して起立状態２と倒伏状態とに起伏自在となって前記カバー部材に取り付けられた接眼レンズと、
前記撮影レンズに対して起立状態と倒伏状態とに起伏自在となって前記撮影レンズに取り付けられているとともに、前記カバー部材及び前記撮影レンズとともに起立状態である際に前記接眼レンズに光学経路を導く対物レンズと、を備え、
倒伏状態の前記撮影レンズが前記カメラ本体の傍らに配され、前記撮影レンズが倒伏状態である際に倒伏状態の前記対物レンズが前記撮影レンズの傍らに配され、
前記カバー部材には前記接眼レンズが配される貫通孔が設けられ、
前記接眼レンズは、その接眼レンズの基端部から延出する延出部が前記カバー部材の下面に当接する方向及びカバー部材の下面から離間する方向に回動自在に設けられ、
前記カバー部材が倒伏する際に前記接眼レンズの延出部に接する接触部が前記カメラ本体に取り付けられ、前記カバー部材が倒伏することで前記接眼レンズが前記接触部に押されて倒伏することを特徴とするカメラ。
【請求項２】
倒伏状態である前記接眼レンズが前記貫通孔内に配されることを特徴とする請求項１記載のカメラ。
【請求項３】
前記カバー部材の起伏に連動して前記撮影レンズを起伏させるリンク機構を備え、前記カバー部材が倒伏状態である際に、前記リンク機構が折り畳まれて前記カバー部材と前記カメラ本体との間に介在することを特徴とする請求項１又は２に記載のカメラ。
【請求項４】
前記対物レンズが、倒伏する前記カバー部材に押されることで倒伏することを特徴とする請求項１又は２に記載のカメラ。
【請求項５】
倒伏状態である前記カバー部材に掛かって前記カバー部材を倒伏状態に維持するロック部を備えることを特徴とする請求項１から４の何れかに記載のカメラ。
【発明の詳細な説明】
【０００１】
【発明の属する技術分野】
本発明は、被写体を撮影するカメラに関する。
【０００２】
【従来の技術】
従来のインスタントカメラには、例えば図９〜図１１に示すようなものがある。このカメラ１００では、カメラ本体１０１の上部には開閉自在な開閉反射ミラー１１１が設けられている。カメラ本体１０１の後部に第一カバー１０２が回転自在に取り付けられており、第一カバー１０２の下面には第一反射ミラー１０３が設けられている。第一カバー１０２の前部に第二カバー１０４が回転自在に取り付けられており、第二カバー１０４の前部に撮影レンズユニット１０５が設けられている。更に、第二カバー１０４の上面側にファインダ用カバー１０６が設けられており、ファインダ用カバー１０６の後部に接眼レンズ１０７の上部が回転自在に設けられている。接眼レンズ１０７の下部は、カム部材１０８に対して摺動自在に取り付けられている。更に、ファインダ用カバー１０６には、第二反射ミラー１０９の上部が回転自在に設けられている。
【０００３】
図１０及び図１１に示すように、使用時には、第一カバー１０２及び第二カバー１０４がカメラ本体１０１から開いた状態となり、第一ジャバラ１１０が広がった状態となっており、撮影レンズユニット１０５が前方を向いている。更に、ファインダ用カバー１０６の前部が第二カバー１０４から離れた状態になり、第二反射ミラー１０９が第二カバー１０４に対して斜めに立った状態となっている。更に、接眼レンズ１０７の下部がカム部材１０８の後部に位置しており、接眼レンズ１０７は第二反射ミラー１０９を向いている。ファインダ光学系の光学経路は、撮影レンズユニット１０５→第一反射ミラー１０３→開閉反射ミラー１１１→第一反射ミラー１０３→第二反射ミラー１０９→接眼レンズ１０７となっている。撮影の瞬間に開閉反射ミラー１１１が開くことで、撮影光学系の光学経路が撮影レンズユニット１０５→第一反射ミラー１０３→カメラ本体１０１となる。以上のように、ファインダ光学系の光学経路の一部が、撮影光学系の光学経路となっている。
【０００４】
収納の際には、ユーザが第一カバー１０２及び第二カバー１０４を下方に押すことで、第一カバー１０２及び第二カバー１０４が倒伏して、第一カバー１０２及び第二カバー１０４によってカメラ本体１０１の上部が覆われる。更に、撮影レンズユニット１０５は下方を向いて、カメラ本体１０１の前部に収納される。そして、ユーザがファインダ用カバー１０６の前方を下方に押すと、接眼レンズ１０７の下部がカム部材１０８に沿って前方に移動し、接眼レンズ１０７はその上部を支点として回転し、第二反射ミラー１０９はその上部を支点として前方に回転する。これにより、接眼レンズ１０７、カム部材１０８及び接眼レンズ１０７は、ファインダ用カバー１０６と第一カバー１０２及び第二カバー１０４との間に収納される。
【０００５】
図１２には、ファインダ光学系の光学経路と撮影光学系の光学経路が別となっているカメラが示されている。このカメラは、図９に示されカメラとほぼ同様にカメラ本体１０１、第一カバー１０２、第二カバー１０４、撮影レンズユニット１０５、ファインダ用カバー１０６、接眼レンズ１０７及びカム部材１０８を備えており、第一カバー１０２の下面には第一反射ミラー１０３が設けられている。ファインダ用カバー１０６には、光路を屈折する対物レンズ１１２の上部が回転自在に設けられている。図１２に示されるカメラでは、使用時には、第一カバー１０２及び第二カバー１０４がカメラ本体１０１から開いた状態となり、撮影レンズユニット１０５が前方を向いている。また、ファインダ用カバー１０６の前部が第二カバー１０４から離れた状態なり、対物レンズ１１２がファインダ用カバー１０６に対して立った状態で垂下している。また、接眼レンズ１０７の下部がカム部材１０８の後部に位置しており、接眼レンズ１０７は対物レンズ１１２を向いている。ファインダ光学系の光学経路は、対物レンズ１１２→接眼レンズ１０７となっている。撮影光学系の光学経路は、撮影レンズユニット１０５→第一反射ミラー１０３→カメラ本体１０１となる。
【０００６】
収納の際には、ユーザが第一カバー１０２及び第二カバー１０４を下方に押すことで、第一カバー１０２及び第二カバー１０４が倒伏し、撮影レンズユニット１０５は下方を向いてカメラ本体１０１の前部に収納される。そして、ユーザがファインダ用カバー１０６の前方を下方に押すと、接眼レンズ１０７の下部がカム部材１０８に沿って前方に移動し、接眼レンズ１０７はその上部を支点として回転し、対物レンズ１１２はその上部を支点として後方に回転する。これにより、接眼レンズ１０７、カム部材１０８及び対物レンズ１１２は、ファインダ用カバー１０６と第一カバー１０２及び第二カバー１０４との間に収納される。
【０００７】
【発明が解決しようとする課題】
しかしながら、従来のいずれのカメラでも、収納状態においてファインダ用カバー１０６が第一カバー１０２及び第二カバー１０４の上面より突出しており、カメラを小型化・薄型化するには適していない。
本発明の課題は、コンパクトでかつ薄型なカメラを提供することである。
【０００８】
【課題を解決するための手段】
以上の課題を解決するため、本発明は、例えば図１及び図２に示すように、カメラ本体（例えば、カメラ本体９０）に対して起立状態と倒伏状態とに起伏自在となって前記カメラ本体に取り付けられたカバー部材（例えば、カバー部材４）と、前記カメラ本体に対して起立状態と倒伏状態とに起伏自在となって前記カメラ本体に取り付けられた撮影レンズ（例えば、撮影レンズ１３或いは撮影レンズユニット２）と、前記カバー部材に裏面に設けられているとともに、前記カバー部材が起立状態である際に起立状態である前記撮影レンズからの光学経路を前記カメラ本体に導く反射鏡（例えば、反射ミラー３）と、前記カバー部材に対して起立状態と倒伏状態とに起伏自在となって前記カバー部材に取り付けられた接眼レンズ（例えば、接眼レンズ６）と、前記撮影レンズに対して起立状態と倒伏状態とに起伏自在となって前記撮影レンズに取り付けられているとともに、前記カバー部材及び前記撮影レンズとともに起立状態である際に前記接眼レンズに光学経路を導く対物レンズ（例えば、対物レンズ５）と、を備え、倒伏状態の前記撮影レンズが前記カメラ本体の傍らに配され、前記撮影レンズが倒伏状態である際に倒伏状態の前記対物レンズが前記撮影レンズの傍らに配され、前記カバー部材には前記接眼レンズが配される貫通孔が設けられ、前記接眼レンズは、その接眼レンズの基端部から延出する延出部が前記カバー部材の下面に当接する方向及びカバー部材の下面から離間する方向に回動自在に設けられ、前記カバー部材が倒伏する際に前記接眼レンズの延出部に接する接触部が前記カメラ本体に取り付けられ、前記カバー部材が倒伏することで前記接眼レンズが前記接触部に押されて倒伏することを特徴とする。
【０００９】
本発明では、カバー部材、撮影レンズ、接眼レンズ及び対物レンズが起立状態である際には、対物レンズから接眼レンズへ導かれる光学経路がファインダ光学系の経路となり、撮影レンズから反射鏡そしてカメラ本体へ導かれる光学経路が撮影光学系の経路となる。一方、カメラ本体に対してカバー部材が倒伏状態であり、カバー部材に対して接眼レンズが倒伏状態である際に、対物レンズ及び接眼レンズが倒伏状態であると、対物レンズがカメラ本体の傍らに配され、更にその対物レンズの傍らに接眼レンズが配されるため、カメラ全体として薄型かつコンパクトになり得る。つまり、本発明では、撮影時にはファインダ光学系及び撮影光学系の両方がカメラに構成されて、収納時にはカメラが薄くなり得る。
【００１０】
また、本発明は、例えば図１及び図２に示すように、請求項１記載のカメラにおいて、前記カバー部材には貫通孔（例えば、貫通孔４ｂ）が設けられ、倒伏状態である前記接眼レンズが前記貫通孔内に配されることを特徴とする。
【００１１】
本発明では、倒伏状態である接眼レンズが、カバー部材に設けられた貫通孔に配されるため、カバー部材、接眼レンズ、対物レンズ及び撮影レンズが倒伏状態である際には、カメラ全体としての厚みは実質的にカメラ本体及びカバー部材の厚みだけとなる。更に、カバー部材の貫通孔に接眼レンズが配されるため、カバー部材から突出している部材はない。従って、収納時に薄くなり得るカメラが提供される。
【００１２】
また、本発明は、前記カバー部材が倒伏する際に前記接眼レンズに接する接触部が前記カメラ本体に取り付けられ、前記カバー部材が倒伏することで前記接眼レンズが前記接触部に押されて倒伏することを特徴とする。
【００１３】
本発明では、カバー部材が倒伏すると、接触部に押されて接眼レンズも倒伏する。従って、ユーザ等はカバー部材を倒すだけで、カバー部材とともに接眼レンズも倒すことができる。
【００１４】
また、本発明は、例えば図１又は図２に示すように、前記カバー部材の起伏に連動して前記撮影レンズを起伏させるリンク機構（例えば、リンク機構８）を備え、前記カバー部材が倒伏状態である際に、前記リンク機構が折り畳まれて前記カバー部材と前記カメラ本体との間に介在することを特徴とする。
【００１５】
本発明では、カバー部材が倒伏すると、リンク機構によって連動されて撮影レンズも倒伏する。従って、ユーザ等はカバー部材を倒すだけで、カバー部材とともに撮影レンズも倒すことができる。
【００１６】
また、本発明は、前記対物レンズが、倒伏する前記カバー部材に押されることで倒伏することを特徴とする。
【００１７】
本発明では、カバー部材が倒伏すると、カバー部材に押されて対物レンズも倒伏する。従って、ユーザ等はカバー部材を倒すだけで、カバー部材とともに撮影レンズ及び対物レンズも倒すことができる。
【００１８】
本発明は、倒伏状態である前記カバー部材に掛かって前記カバー部材を倒伏状態に維持するロック部を備えることを特徴とする。
【００１９】
本発明では、ロック部によってカバー部材が倒伏状態に維持される。
【００２０】
【発明の実施の形態】
以下に、本発明について、図面を用いて具体的な態様を説明する。ただし、発明の範囲は、図示例に限定されない。
図１には、撮影時における開いた状態のインスタントカメラ１が概略的に示されている。図２には、収納時のインスタントカメラ１の状態が概略的に示されている。
図１に示すように、カメラ１は、被写体の光学像を取り込むための撮影レンズユニット２と、撮影レンズユニット２の光学像を反射する反射ミラー３と、反射ミラー３にて反射された光学像を取り込んで被写体を撮像するカメラ本体９０とを具備する。撮影時には撮影レンズユニット２→反射ミラー３→カメラ本体９０の上面と導かれた経路が撮影光学系の光学経路となっている。カメラ本体９０の上面がシャッターとなっており、被写体の光学像が撮影レンズユニット２を介してカメラ本体９０に取り込まれる。
【００２１】
更に、カメラ１は、被写体の光学像を取り込む対物レンズ５と、対物レンズ５から光学像を取り込む接眼レンズ６とを具備する。撮影時には対物レンズ５→接眼レンズ６と導かれた経路がファインダ光学系の光学経路となっており、ユーザが接眼レンズ６を覗くと、被写体をとらえることができる。
【００２２】
図１、図２に示すように、カメラ１は、カメラ本体９０の上面を覆うためのカバー部材４を具備する。カバー部材４の下面（つまり、裏面）には、反射ミラー３が設けられている。カバー部材４の基端部が、左右方向の軸周りに回転自在となってカメラ本体９０の上面後端部に取り付けられている。これにより、カバー部材４は、カメラ本体９０に対して起伏自在となっている。撮影時には、カバー部材４が斜めに立っており、反射ミラー３がカメラ本体９０の上面を向いている。
【００２３】
カバー部材４は、図示しない弾性体等（例えば、巻きバネ、ねじりバネ等）の付勢手段によって付勢されている。図１の方向から見て付勢手段がカバー部材４を時計回りに付勢して、カメラ本体９０に設けられたストッパ（図示略）がカバー部材４に当接していることで、撮影時においてカバー部材４の立った状態が維持される。収納時には、図２に示すように、カバー部材４が倒伏しており、カバー部材４がカメラ本体９０の上面を覆っている。
【００２４】
カバー部材４の前端部には、下方に延出する前壁部４ａが設けられている。カバー部材４の前端部と基端部との間の中間部には、カバー部材４を貫通する貫通孔４ｂが設けられている。貫通孔４ｂより基端側において、貫通孔４ｂに沿った側縁部（カバー部材４の一部）がカバー部材４の他の部分より薄くなっており、カバー部材４の下面に段差４ｃが設けられている。段差４ｃの前端部において、接眼レンズ６が、左右方向の軸回りに回転自在となって設けられている。接眼レンズ６は、貫通孔４ｂに臨んでおり、回転することで貫通孔４ｂから出没するようになっている。接眼レンズ６には、その基端部から延出する延出部６ａが設けられている。
【００２５】
接眼レンズ６の回転軸には、ねじりバネが嵌められている。図１の方向から見て該ねじりバネは接眼レンズ６を時計回りに付勢しており、接眼レンズ６が段差４ｃの前端部に当接することで回転が抑止されている。この状態では（図１）、接眼レンズ６は、カバー部材４に対して傾いており、貫通孔４ｂからカバー部材４の上面へと突出している。一方、接眼レンズ６がこのねじりバネの付勢力に抗して反時計回りに回転されると、延出部６ａが段差４ｃに当接することで回転が抑止されるようになっている。この状態では、接眼レンズ６は貫通孔４ｂ内に配されており、カメラ本体９０の上面の前部に設けられた突起９１が延出部６ａに当接している（図２に図示）。
【００２６】
カメラ１は、撮影レンズユニット２からカメラ本体９０までの撮影光学系を覆って暗状態にするジャバラ機構７を具備する。ジャバラ機構７は、伸縮するジャバラ（図示略）と、ジャバラの骨格構造となるリンク機構８とを備える。リンク機構８は、第一リンク９と、第二リンク１０と、第三リンク１１とを備える。第一リンク９の基端部は、カバー部材４の基端部における軸周りに回転自在となってカメラ本体９０に取り付けられており、第一リンク９はカバー部材４と実質的に平行となって延在しており、第一リンク９はカバー部材４と一体となってその基端部を中心に回転自在となっている。第一リンク９の他端部は、左右方向の軸回りに回転自在となって第二リンク１０の一端部に取り付けられている。第二リンク１０の他端部は、左右方向の軸回りに回転自在となって第三リンク１１の一端部に取り付けられている。第三リンク１１の他端部は、左右方向の軸回りに回転自在となってカメラ本体９０の前端部に取り付けられている。
【００２７】
撮影時には第一リンク９及び第三リンク１１がカメラ本体９０に対して立っている。収納時には第一リンク９及び第三リンク１１は倒伏しており、リンク機構８が折り畳まれて、カバー部材４とカメラ本体９０との間に介在して収納されている。なお、図１の図示方向と逆となる方向からカメラ１を見た場合にも、同様のリンク機構が設けられており、これらリンク機構にジャバラが支持されている。図面を見やすくするため、リンク機構８を二点鎖線の仮想線で示す。
【００２８】
撮影レンズユニット２は、外光を遮断するための鏡筒１２と、鏡筒１２に取り付けられた撮影レンズ１３とを備える。鏡筒１２が第三リンク１１に取り付けられている。撮影時には、第三リンク１１の起立に伴い撮影レンズ１３がカメラ本体９０に対して起立しており、撮影レンズ１３つまり撮影レンズユニット２は前方を向いている。これにより、図１の点線αで示されるような撮影光学系の光学経路が構成されている。収納時には、第三リンク１１の倒伏に伴い撮影レンズ１３が倒伏しており、撮影レンズユニット２がカメラ本体９０の前端部に隣接しており、撮影レンズ１３つまり撮影レンズユニット２が下方を向いている。なお、鏡筒１２に複数の撮影レンズが設けられて、焦点の調節或いはズームを行えるようにしても良い。
【００２９】
対物レンズ５は、起伏自在となって、図２のように、収納時における鏡筒１２の側面上端部（つまり、図１のように撮影時における鏡筒１２の側面後端部）に取り付けられている。対物レンズ５と鏡筒１２の取付構造について詳細に説明する。図３は、図２のＡ方向から見た対物レンズ５の背面図であり、図４は、収納時における対物レンズ５及び撮影レンズユニット２の側面の拡大図である。図５は、収納時における対物レンズ５の上面図であり、図６は、図４の図示方向と逆となる方向から見た場合の対物レンズ５及び撮影レンズユニット２の側面図である。
【００３０】
図２〜図６に示すように、対物レンズ５は、レンズ本体１４と、レンズ本体１４を支持する支持枠１５とを備える。支持枠１５の右側部において、上方に延出するストッパ１６が設けられている。ストッパ１６のすぐ下方には、左右に延在する軸部１７が設けられている。ストッパ１６の前部には、右方に延出するアーム部１８が設けられている。軸部１７のすぐ下方には、前方に延出する当接部１９が設けられている。ストッパ１６、軸部１７、アーム部１８及び当接部１９は、一体となって一つの部材として構成されており、これらは支持枠１５に固定されている。
【００３１】
一方、鏡筒１２の側面上端部には凹部２１が形成されており、鏡筒１２の側面上端部には軸受２０が設けられている。この軸受２０に対して軸部１７が回転自在となって嵌められている。これにより、対物レンズ５は、起伏自在つまり回転自在となって、撮影レンズユニット２に取り付けられている。
【００３２】
また、軸部１７にはねじりバネ２２が嵌められている。ねじりバネ２２の一端部はストッパ１６の下部に掛けられており、ねじりバネ２２の他端部は鏡筒１２に掛けられている。ねじりバネ２２は、図４の方向から見て、鏡筒１２に対して対物レンズ５を時計回りに回転する方向に、対物レンズ５及び鏡筒１２を付勢している。ねじりバネ２２の付勢力によって対物レンズ５が回転するが、ストッパ１６が凹部２１内面に当接することで対物レンズ５の回転が抑止される。この状態では（図１に図示）、対物レンズ５は鏡筒１２に対して起立しており、対物レンズ５の向く方向は、撮影レンズ１３の向く方向とほぼ平行になっている。なお、撮影時において、図１に示すように、対物レンズ５及び接眼レンズ６が起立しているが、接眼レンズ６の向いた方向の延長上に対物レンズ５が配されており、これにより、点線βで示されるようなファインダ光学系の光学経路が構成されている。
【００３３】
図２〜図６に示すように、収納時では、対物レンズ５が鏡筒１２の前方において鏡筒１２に対して倒伏した状態となっているが、前壁部４ａの下端部が当接部１９に当接することによって、ねじりバネ２２の付勢力で対物レンズ５が回転することが抑止される。上述したように、収納時では、カバー部材４が倒伏しているが、カバー部材４の倒伏した状態がロック機構（ロック部）によって維持される。
【００３４】
ロック機構について説明する。ロック機構は、前壁部４ａから後方に突出する突出部２３と、軸部１７に回転自在に嵌められた爪部材２４と、軸部１７に嵌められたねじりバネ２５とを備える。爪部材２４はストッパ１６及び当接部１９より右方に配されている。ねじりバネ２５の一端部は爪部材２４に掛けられており、他端部はアーム部１８に掛けられている。図６の方向から見て、このねじりバネ２５は爪部材２４を時計回りに回転する方向に付勢しており、爪部材２４がアーム部１８に当接することによって爪部材２４の回転が抑止されている。更に、爪部材２４の上端部には、前方に延出する爪２４ａが形成されている。この爪２４ａは突出部２３の上部に当接している。爪２４ａが突出部２３に当接することで、カバー部材４が起立するように回転することが抑止されている。
【００３５】
前記ロック機構によるロックを解除するためのロック解除機構が前壁部４ａに設けられている。ロック解除機構について説明する。図３及び図５に示すように、ロック解除機構は、スイッチ部材２６と、カム部材２７と、引張バネ２８とを具備する。突出部２３の右方において、前壁部４ａの表面に凹部２９が形成されており、凹部２９の底面に貫通孔３０が形成されている。スイッチ部材２６は、凹部２９に嵌められているとともに、貫通孔３０に嵌られている。スイッチ部材２６は、凹部２９に沿って左右に移動自在となっている。前壁部４ａの裏面にカム部材２７が配されており、このカム部材２７はスイッチ部材２６に取り付けられている。カム部材２７の左方に引張バネ２８が配されており、引張バネ２８はカム部材２７を左方に引く方向に付勢している。スイッチ部材２６とともにカム部材２７が引張バネ２８の付勢力の抗する方向に移動した場合、カム部材２７の左端部に形成されたカム面２７ａが爪２４ａに当接するようになっており、カム面２７ａによって爪２４ａが後方に押されるようになっている。
【００３６】
以上のように構成されるカメラ１の動作について説明する。
撮影時には、カメラ１は図１のような状態である。つまり、カバー部材４が斜めに起立しており、ジャバラ機構７は開いた状態となっており、撮影レンズユニット２はカメラ本体９０の上方にて前方に向いて起立しており、対物レンズ５は撮影レンズユニット２に対して起立して前方を向いており、接眼レンズ６は起立して対物レンズ５に向いている。
【００３７】
そして、ユーザがカバー部材４を前方に倒すと、ジャバラ機構７が閉じていき、第一リンク９及び第三リンク１１が前方へ倒れていく。第三リンク１１が前方へ倒れていくことで、撮影レンズユニット２も前方へ倒れていく。更にユーザがカバー部材４を前方に倒していくと、対物レンズ５及び撮影レンズユニット２は下方を向いてカメラ本体９０の前の傍らに移動する。更にカバー部材４が倒れていくと、前壁部４ａの先端が当接部１９に当接する（図７に図示）。更に、カバー部材４が倒れていくと、前壁部４ａによって対物レンズ５が押されて、ねじりバネ２２の付勢力に抗して対物レンズ５が撮影レンズユニット２に対して倒れていくとともに、延出部６ａが突起９１に当接して接眼レンズ６が前方に倒れていく。更に、カバー部材４が倒れると、撮影レンズユニット２の前方傍らにおいて対物レンズ５が撮影レンズユニット２に対して倒伏するとともに、後方を向く。また、接眼レンズ６はカバー部材４に対して倒伏して、貫通孔４ｂ内に配される。そして、突出部２３が爪部材２４の爪２４ａに掛かることで、カメラ１は図２のような収納状態となり、カメラ１の各部は図２〜図６の状態が維持される。
【００３８】
カメラ１の使用の際には、ユーザが引張バネ２８の付勢力に抗してスイッチ部材２６を左方へ移動すると、爪２４ａがカム面２７ａによって後方に押されて、爪２４ａと突出部２３との係止が解除される。爪２４ａと突出部２３との係止が解除されると、カバー部材４が付勢手段の付勢力によって斜めに起立する。カバー部材４が起立することで、第三リンク１１とともに撮影レンズユニット２が前方を向いて起立する。更に、カバー部材４が起立することで、前壁部４ａの先端と当接部１９との当接が解除され、対物レンズ５はねじりバネ２２の付勢力によって起立する。更に、カバー部材４が起立することで、延出部６ａと突起９１との当接が解除され、接眼レンズ６がねじりバネの付勢力によって起立する。最終的には、カメラ１は図１に示すような状態となり、その状態が維持される。
【００３９】
以上の実施の形態では、収納時には、カメラ本体９０に対してカバー部材４が倒伏状態であり、カメラ本体９０を覆っている。接眼レンズ６も倒伏状態で、貫通孔４ｂ内に配されている。撮影レンズユニット２も倒伏状態となっており、カメラ本体９０の前方に配され、かつ、カバー部材４に覆われている。更に、対物レンズ５も撮影レンズユニット２に対して倒伏状態となって、撮影レンズユニット２の前方に配され、かつ、カバー部材４に覆われている。従って、収納時には、カバー部材４の上面から突出する部材もなく、カメラ１全体として薄くなっており、厚さ方向にコンパクトとなっている。
【００４０】
更に、以上のカメラ１の構成では、ユーザがカバー部材４を前方に倒すだけで、撮影レンズユニット２、対物レンズ５及び接眼レンズ６も倒伏して、カメラ１が図２のような収納状態となる。従って、カメラ１を閉じる（収納する）時の操作性が非常に優れている。ロック機構によって、カメラ１の収納状態が維持されるため、カメラ１の持ち運びにも便利である。更に、ユーザは、単にスイッチ部材２６を操作するだけで、カメラ１を開いて撮影できる状態にすることができる。
【００４１】
なお、本発明は、上記実施の形態に限定されることなく、本発明の趣旨を逸脱しない範囲において、種々の改良並びに設計の変更を行っても良い。
【００４２】
例えば、対物レンズ５を起立するように付勢するものはねじりバネ２２であったが、引張バネ、圧縮バネ、板バネその他の弾性部材等の付勢手段でも良い。同様に、爪部材２４を付勢するものはねじりバネ２５に限らずその他の弾性部材でも良い。
【００４３】
また、ロック機構及びロック解除機構も上記実施の形態のようなものに限らず、収納時にロック機構でカメラ１を収納状態に維持でき、ロック解除機構によってロック機構のロックを解除できるようなものであれば良い。例えば、図８に示すようなものでも良い。図８のカメラ８０と、図１のカメラ１と異なるところは、ロック機構つまり、対物レンズ５と撮影レンズユニット２との取付構造である。図１のカメラ１では、ねじりバネ２５によって、撮影レンズユニット２に対して対物レンズ５が付勢されているが、図８のカメラ８０ではねじりバネ２５はない。更に、図８のカメラ８０では、対物レンズ５に爪部材２４は設けられていないが、延出する爪１６ａがストッパ１６に設けられており、この爪１６ａが突出部２３に掛かることで、カメラ８０が収納状態に維持される。カメラ８０の他の構成については、カメラ１と同様の構成要素に同様の符号を付してその詳細な説明は省略する。
【００４４】
カメラ８０が収納状態である際に、ユーザが対物レンズ５を撮影レンズユニット２に対して立てると、対物レンズ５は図８の符号５’で付されるような状態になり、爪１６ａと突出部２３の係止が解除される。これにより、カメラ１の場合と同様に、カバー部材４、撮影レンズユニット２及び接眼レンズ６が起立状態となる。一方、カメラ８０を収納状態にするには、ユーザがカバー部材４を前方に倒すことによって、カメラ１の場合と同様に、カバー部材４、撮影レンズユニット２及び接眼レンズ６が起立状態となる。但し、対物レンズ５が前壁部４ａによって押されないため、対物レンズ５は撮影レンズユニット２に対して起立状態を維持している。そして、ユーザが対物レンズ５を下に回転すると、対物レンズ５が倒れて、爪１６ａが突出部２３に掛かる。
【００４５】
【発明の効果】
本発明によれば、カメラ本体に対してカバー部材が倒伏状態であり、カバー部材に対して接眼レンズが倒伏状態である際に、対物レンズ及び接眼レンズが倒伏状態であると、対物レンズがカメラ本体の傍らに配され、更にその対物レンズの傍らに接眼レンズが配されるため、カメラ全体として薄型かつコンパクトになり得る。
【００４６】
また、本発明によれば、倒伏状態である接眼レンズが、カバー部材に設けられた貫通孔に配されるため、カバー部材、接眼レンズ、対物レンズ及び撮影レンズが倒伏状態である際には、カメラ全体としての厚みは実質的にカメラ本体及びカバー部材の厚みだけとなる。従って、収納時に薄くなり得るカメラが提供される。
【００４７】
また、本発明によれば、ユーザ等はカバー部材を倒すだけで、接眼レンズも倒すことができる。
【００４８】
また、本発明によれば、ユーザ等はカバー部材を倒すだけで、撮影レンズも倒すことができる。
【００４９】
また、本発明によれば、ユーザ等はカバー部材を倒すだけで、撮影レンズ及び対物レンズも倒すことができる。
【００５０】
また、本発明によれば、ロック部によってカバー部材が倒伏状態に維持される。
【図面の簡単な説明】
【図１】開いた状態のカメラが示された側面図である。
【図２】収納状態の前記カメラが示された側面図である。
【図３】前記カメラに具備される対物レンズが主に示された背面図である。
【図４】前記カメラに具備される対物レンズ及び撮影レンズユニットが主に示された側面図である。
【図５】前記対物レンズが主に示された上面図である。
【図６】図４とは逆の方向から見て示された側面図である。
【図７】開いた状態から収納状態になる過程のカメラの状態が示された側面図である。
【図８】別の例のカメラが示された側面図である。
【図９】収納状態である従来のカメラが示された斜視図である。
【図１０】開いた状態の前記従来のカメラが示された斜視図である。
【図１１】前記従来のカメラが示された側面図である。
【図１２】別の従来のカメラが示された側面図である。
【符号の説明】
１      カメラ
２      撮影レンズユニット
３      反射ミラー
４      カバー部材
４ａ      前壁部
４ｂ      貫通孔
４ｃ      段差
５      対物レンズ
６      接眼レンズ
６ａ      延出部
８      リンク機構
９      第一リンク
１０      第二リンク
１１      第三リンク
１３      撮影レンズ
１９      当接部
２２      ねじりバネ
２３      突出部
２４      爪部材
２５      ねじりバネ
８０      カメラ
９０      カメラ本体
９１      突起
【図１】
0004162881.tif 000002
【図２】
0004162881.tif 000003
【図３】
0004162881.tif 000004
【図４】
0004162881.tif 000005
【図５】
0004162881.tif 000006
【図６】
0004162881.tif 000007
【図７】
0004162881.tif 000008
【図８】
0004162881.tif 000009
【図９】
0004162881.tif 000010
【図１０】
0004162881.tif 000011
【図１１】
0004162881.tif 000012
【図１２】
0004162881.tif 000013